(57)【要約】【課題】小型でありながら視野角が十分に広く、高画素化に対応可能な高い光学性能を有する接眼光学系およびこの接眼光学系を備えた撮像装置を実現する。【解決手段】接眼光学系は、物体側から順に、アイポイント側の面が凸面である正の屈折力を有する第１レンズＬ１、物体側の面が凹面である負の屈折力を有する第２レンズＬ２、物体側の面の曲率半径の絶対値よりもアイポイント側の面の曲率半径の絶対値が小さい正の屈折力を有する第３レンズＬ３から実質的に構成される。第１レンズＬ１〜第３レンズＬ３は全て単レンズであり、第１レンズＬ１〜第３レンズＬ３の平均屈折率をＮｄＨとしたとき、条件式（１）：１．８０＜ＮｄＨを満足する。【選択図】図１
2015135471.tif 000002
【特許請求の範囲】
【請求項１】
物体側から順に、アイポイント側の面が凸面である正の屈折力を有する第１レンズと、物体側の面が凹面である負の屈折力を有する第２レンズと、物体側の面の曲率半径の絶対値よりもアイポイント側の面の曲率半径の絶対値が小さい正の屈折力を有する第３レンズとから構成される実質的に３枚のレンズからなり、
前記第１レンズ、前記第２レンズ、前記第３レンズが全て単レンズであり、
以下の条件式（１）を満足する接眼光学系。
１．８０＜ＮｄＨ      （１）
ただし、
ＮｄＨ：前記第１レンズ、前記第２レンズ、前記第３レンズのｄ線に対する平均屈折率
【請求項２】
以下の条件式（２）を満足する請求項１記載の接眼光学系。
０．６０＜ｆ３／ｆ＜０．９０      （２）
ただし、
ｆ３：前記第３レンズの焦点距離
ｆ：全系の焦点距離
【請求項３】
前記第２レンズが、両凹形状である請求項１または２記載の接眼光学系。
【請求項４】
以下の条件式（３）を満足する請求項１から３のいずれか１項記載の接眼光学系。
０．４５＜｜ｆ２／ｆ｜＜０．７５      （３）
ただし、
ｆ２：前記第２レンズの焦点距離
ｆ：全系の焦点距離
【請求項５】
以下の条件式（４）、（５）を満足する請求項１から４のいずれか１項記載の接眼光学系。
１．３０＜｜φ２ｆ/φＡ｜      （４）
０．９５＜φ３ｒ/φＡ      （５）
ただし、
φ２ｆ：前記第２レンズの物体側の面のパワー
φ３ｒ：前記第３レンズのアイポイント側の面のパワー
φＡ：全系のパワー
【請求項６】
以下の条件式（６）を満足する請求項１から５のいずれか１項記載の接眼光学系。
３５．０°＜２ω      （６）
ただし、
２ω：全画角での最大視野角
【請求項７】
光軸に垂直な面内における前記第３レンズの外形が非円形状とされており、
以下の条件式（７）を満足する請求項１から６のいずれか１項記載の接眼光学系。
ｒ１／ｒ２＜０．８０      （７）
ただし、
ｒ１：前記第３レンズの光軸から周縁までの径方向における最短距離
ｒ２：前記第３レンズの光軸から周縁までの径方向における最長距離
【請求項８】
前記第３レンズが、両凸形状である請求項１から７のいずれか１項記載の接眼光学系。
【請求項９】
以下の条件式（１’）を満足する請求項１から８のいずれか１項記載の接眼光学系。
１．８５＜ＮｄＨ      （１’）
【請求項１０】
以下の条件式（２’）を満足する請求項１から９のいずれか１項記載の接眼光学系。
０．６５＜ｆ３／ｆ＜０．８０      （２’）
ただし、
ｆ３：前記第３レンズの焦点距離
ｆ：全系の焦点距離
【請求項１１】
以下の条件式（３’）を満足する請求項１から１０のいずれか１項記載の接眼光学系。
０．５０＜｜ｆ２／ｆ｜＜０．６０      （３’）
ただし、
ｆ２：前記第２レンズの焦点距離
ｆ：全系の焦点距離
【請求項１２】
以下の条件式（４’）、（５’）を満足する請求項１から１１のいずれか１項記載の接眼光学系。
１．３５＜｜φ２ｆ/φＡ｜      （４’）
１．０５＜φ３ｒ/φＡ      （５’）
ただし、
φ２ｆ：前記第２レンズの物体側の面のパワー
φ３ｒ：前記第３レンズのアイポイント側の面のパワー
φＡ：全系のパワー
【請求項１３】
以下の条件式（６’）を満足する請求項１から１２のいずれか１項記載の接眼光学系。
３７．０°＜２ω      （６’）
ただし、
２ω：全画角での最大視野角
【請求項１４】
光軸に垂直な面内における前記第３レンズの外形が非円形状とされており、
以下の条件式（７’）を満足する請求項１から１３のいずれか１項記載の接眼光学系。
ｒ１／ｒ２＜０．７０      （７’）
ただし、
ｒ１：前記第３レンズの光軸から周縁までの径方向における最短距離
ｒ２：前記第３レンズの光軸から周縁までの径方向における最長距離
【請求項１５】
請求項１から１４のいずれか１項記載の接眼光学系を備えた撮像装置。
【発明の詳細な説明】
【技術分野】
【０００１】
本発明は、接眼光学系および撮像装置に関し、特に、表示画面に表示された画像の観察に好適に使用可能な接眼光学系およびこの接眼光学系を搭載した撮像装置に関するものである。
【背景技術】
【０００２】
従来、ビデオカメラのビューファインダー用として、液晶表示素子等の表示画面に表示された画像を拡大して肉眼で観察する接眼光学系が用いられてきた。近年、デジタルカメラにおいても同様のビューファインダーを用いるものが増えてきており、小型化に対する要求が高くなってきている。
【０００３】
上記用途に合致する３枚のレンズからなる接眼光学系として、例えば下記特許文献１、２に記載の接眼光学系が提案されている。
【先行技術文献】
【特許文献】
【０００４】
【特許文献１】特開２００２−４８９８５号公報
【特許文献２】特開２０１０−１７５７９５号公報
【発明の概要】
【発明が解決しようとする課題】
【０００５】
ところで、年々、表示素子の高画素化が進んでおり、高画素化に対応するために接眼光学系にもさらなる高性能化が求められている。また、高画素化に伴う表示素子の表示画面サイズの拡大、およびデジタルカメラ等における広角化から、広い視野角を有する接眼光学系が要望されている。
【０００６】
しかしながら、特許文献１に記載の接眼光学系は、ほとんどが小型の表示素子対応のものであり、近年の高画素化に対応できるものではない。特許文献１の実施例４の接眼光学系は、大きな表示画面サイズの表示素子に対応可能であるが、像面湾曲が大きく、高性能とは言えない。特許文献２に記載の接眼光学系は、視野角がやや狭いという欠点がある。
【０００７】
本発明は、上記事情に鑑みてなされたもので、小型でありながら視野角が十分に広く、高画素化に対応可能な高い光学性能を有する接眼光学系、およびこの接眼光学系を備えた撮像装置を提供することを目的とするものである。
【課題を解決するための手段】
【０００８】
本発明の接眼光学系は、物体側から順に、アイポイント側の面が凸面である正の屈折力を有する第１レンズと、物体側の面が凹面である負の屈折力を有する第２レンズと、物体側の面の曲率半径の絶対値よりもアイポイント側の面の曲率半径の絶対値が小さい正の屈折力を有する第３レンズとから構成される実質的に３枚のレンズからなり、第１レンズ、第２レンズ、第３レンズが全て単レンズであり、以下の条件式（１）を満足するものである。
１．８０＜ＮｄＨ      （１）
ただし、
ＮｄＨ：第１レンズ、第２レンズ、第３レンズのｄ線に対する平均屈折率
【０００９】
本発明の接眼光学系においては、以下の条件式（１’）を満足することが好ましい。
１．８５＜ＮｄＨ      （１’）
【００１０】
本発明の接眼光学系においては、以下の条件式（２）を満足することが好ましく、条件式（２’）を満足することがより好ましい。
０．６０＜ｆ３／ｆ＜０．９０      （２）
０．６５＜ｆ３／ｆ＜０．８０      （２’）
ただし、
ｆ３：第３レンズの焦点距離
ｆ：全系の焦点距離
【００１１】
本発明の接眼光学系においては、第２レンズが、両凹形状であることが好ましい。また、本発明の接眼光学系においては、第３レンズが、両凸形状であることが好ましい。
【００１２】
本発明の接眼光学系においては、以下の条件式（３）を満足することが好ましく、条件式（３’）を満足することがより好ましい。
０．４５＜｜ｆ２／ｆ｜＜０．７５      （３）
０．５０＜｜ｆ２／ｆ｜＜０．６０      （３’）
ただし、
ｆ２：第２レンズの焦点距離
ｆ：全系の焦点距離
【００１３】
本発明の接眼光学系においては、以下の条件式（４）、（５）を同時に満足することが好ましく、条件式（４’）、（５’）を同時に満足することがより好ましい。
１．３０＜｜φ２ｆ/φＡ｜      （４）
０．９５＜φ３ｒ/φＡ      （５）
１．３５＜｜φ２ｆ/φＡ｜      （４’）
１．０５＜φ３ｒ/φＡ      （５’）
ただし、
φ２ｆ：第２レンズの物体側の面のパワー
φ３ｒ：第３レンズのアイポイント側の面のパワー
φＡ：全系のパワー
【００１４】
本発明の接眼光学系においては、以下の条件式（６）を満足することが好ましく、条件式（６’）を満足することがより好ましい。
３５．０°＜２ω      （６）
３７．０°＜２ω      （６’）
ただし、
２ω：全画角での最大視野角
【００１５】
本発明の接眼光学系は、光軸に垂直な面内における第３レンズの外形が非円形状とされており、以下の条件式（７）を満足することが好ましく、条件式（７’）を満足することがより好ましい。
ｒ１／ｒ２＜０．８０      （７）
ｒ１／ｒ２＜０．７０      （７’）
ただし、
ｒ１：第３レンズの光軸から周縁までの径方向における最短距離
ｒ２：第３レンズの光軸から周縁までの径方向における最長距離
【００１６】
なお、上記の「実質的に」とは、構成要素として挙げたもの以外に、実質的にパワーを有さないレンズ、絞りやカバーガラス等レンズ以外の光学要素、レンズフランジ、レンズバレル等を含んでもよいことを意図するものである。
【００１７】
なお、上記のレンズの面形状や屈折力の符号は、非球面が含まれているものについては近軸領域で考えるものとする。
【００１８】
なお、本発明においては、複合非球面レンズ（球面レンズと、その球面レンズ上に重ねられた非球面形状の膜とから構成されるレンズ）は、接合レンズとは見なさず、１枚のレンズとして扱うものとする。
【００１９】
本発明の撮像装置は、上記記載の本発明の接眼光学系を備えたものである。
【発明の効果】
【００２０】
本発明の接眼光学系によれば、３枚のレンズからなり、各レンズの構成を好適に設定し、所定の条件式を満足するように構成しているため、小型に構成しながら、十分に広い視野角と、高画素化に対応可能な高い光学性能を実現することができる。
【００２１】
本発明の撮像装置によれば、本発明の接眼光学系を備えているため、小型に構成可能であり、十分に広い視野角を有し、高解像の良好な画像を観察することができる。
【図面の簡単な説明】
【００２２】
【図１】本発明の実施例１の接眼光学系の構成を示す断面図
【図２】本発明の実施例２の接眼光学系の構成を示す断面図
【図３】本発明の実施例３の接眼光学系の構成を示す断面図
【図４】外形が非円形状のレンズの一例を示す図
【図５】本発明の実施例１の接眼光学系の諸収差図であり、紙面左側から球面収差図、非点収差図、歪曲収差図、倍率色収差図
【図６】本発明の実施例２の接眼光学系の諸収差図であり、紙面左側から球面収差図、非点収差図、歪曲収差図、倍率色収差図
【図７】本発明の実施例３の接眼光学系の諸収差図であり、紙面左側から球面収差図、非点収差図、歪曲収差図、倍率色収差図
【図８Ａ】本発明の一実施形態にかかる撮像装置の正面側の斜視図
【図８Ｂ】本発明の一実施形態にかかる撮像装置の背面側の斜視図
【図９】本発明の別の実施形態にかかる撮像装置の斜視図
【発明を実施するための形態】
【００２３】
以下、本発明の実施形態について図面を参照して詳細に説明する。
【００２４】
図１は、本発明の一実施の形態に係る接眼光学系の構成を示す断面図である。図１に示す例は、後述の実施例１の接眼光学系に対応している。同様にして、後述の実施例２、実施例３の接眼光学系に対応する構成例の断面図を図２、図３に示す。図１〜図３に示す構成例の基本的な構成は同じであるため、以下では、主に図１を参照しながら説明する。
【００２５】
この接眼光学系２は、表示素子１の表示画面１ａに表示された画像を拡大して観察するために用いられるものである。表示素子１としては例えば液晶表示素子等を用いることができる。図１では左側が物体側、右側がアイポイント側（観察者側）として図示している。なお、図１に示すアイポイントＥＰは大きさや形状を示すものではなく光軸方向の位置を示すものである。図１には、接眼光学系２とアイポイントＥＰの間に保護部材やフィルタ等を想定した平行平板状の光学部材３を配置した例を示しているが、光学部材３は本発明に必須の構成要素ではない。
【００２６】
この接眼光学系２は、光軸Ｚに沿って物体側から順に、アイポイント側の面が凸面である正の屈折力を有する第１レンズＬ１と、物体側の面が凹面である負の屈折力を有する第２レンズＬ２と、物体側の面の曲率半径の絶対値よりもアイポイント側の面の曲率半径の絶対値が小さい正の屈折力を有する第３レンズＬ３とから構成される実質的に３枚のレンズからなる。第１レンズＬ１、第２レンズＬ２、第３レンズＬ３は全て単レンズであるように構成される。このような、物体側から順に、正、負、正のパワー配列となる３枚のレンズからなるトリプレットタイプの構成により、小型に構成しながら高画素化に対応可能な性能を備えることができる。
【００２７】
第１レンズＬ１のアイポイント側の面を凸面とし、第２レンズＬ２の物体側の面を凹面とすることで、小型化に貢献できる。第２レンズＬ２は両凹形状とすることが好ましく、このようにした場合は色収差の補正に有利となる。また、第２レンズＬ２を両凹形状とした場合は、第２レンズＬ２に強いパワーを持たせることができ、その結果、第３レンズＬ３にも強いパワーを持たせることができるため、光学系の全長の小型化に有利となる。
【００２８】
第３レンズＬ３は、物体側の面よりもアイポイント側の面の方が面のパワーが強い形状とすることにより、第３レンズＬ３からアイポイント側へ向かう光線に強い屈折作用を与えることができ、レンズ系の小型化に有利となる。さらに、第３レンズＬ３は両凸形状にすることが好ましく、このようにした場合は第３レンズＬ３に強いパワーを持たせることができるためレンズ系の全長の短縮にさらに有利となる。
【００２９】
接眼光学系２は、少なくとも１枚のレンズを非球面レンズとしてもよい。例えば、第１レンズＬ１を非球面レンズとしてもよく、このようにした場合は、広い視野角と、高画素化に対応可能な高い光学性能の確保に有利となる。
【００３０】
接眼光学系２は、以下の条件式（１）を満足するように構成されている。
１．８０＜ＮｄＨ      （１）
ただし、
ＮｄＨ：第１レンズ、第２レンズ、第３レンズのｄ線に対する平均屈折率
【００３１】
条件式（１）は、接眼光学系２を構成する３つのレンズのｄ線に対する平均屈折率の好適な範囲に関するものである。視野角を広げると像面湾曲が悪化しペッツバール和の絶対値が大きくなる傾向があるが、条件式（１）の下限以下とならないように各レンズの材料を選択することで、ペッツバール和の絶対値を小さく抑えることができ、また、収差発生量を抑制することができるため、広い視野角と高い光学性能の両方を実現することが可能となる。
【００３２】
上記の条件式（１）に関する効果をより高めるためには以下の条件式（１’）を満足することがより好ましい。
１．８５＜ＮｄＨ      （１’）
【００３３】
また、この接眼光学系２は、以下の条件式（２）を満足することが好ましい。
０．６０＜ｆ３／ｆ＜０．９０      （２）
ただし、
ｆ３：第３レンズの焦点距離
ｆ：全系の焦点距離
【００３４】
条件式（２）は、第３レンズＬ３の焦点距離と全系の焦点距離の比の好適な範囲に関するものである。条件式（２）の下限以下とならないように構成することで、像面湾曲等の収差を良好に補正して高性能を維持することが容易となる。条件式（２）の上限以上とならないように構成することで、光学系を小型化することが容易となる。
【００３５】
上記の条件式（２）に関する効果をより高めるためには以下の条件式（２’）を満足することがより好ましい。
０．６５＜ｆ３／ｆ＜０．８０      （２’）
【００３６】
また、接眼光学系２は、以下の条件式（３）を満足することが好ましい。
０．４５＜｜ｆ２／ｆ｜＜０．７５      （３）
ただし、
ｆ２：第２レンズの焦点距離
ｆ：全系の焦点距離
【００３７】
条件式（３）は、第２レンズＬ２の焦点距離と全系の焦点距離の比の好適な範囲に関するものである。条件式（３）の下限以下とならないように構成することで、像面湾曲等の収差を良好に補正して高性能を維持することが容易となる。また、現在使用可能な光学材料の中から条件式（１）を満足するように第１レンズＬ１、第２レンズＬ２、第３レンズＬ３の材料を選択すると、条件式（１）を満足しない場合に比べて各レンズのｄ線に対するアッベ数の分布範囲が狭いものとなるが、条件式（３）の上限以上とならないように構成することで、条件式（１）で限定された範囲の材料を用いながら良好に色収差を補正することが容易となる。
【００３８】
上記の条件式（３）に関する効果をより高めるためには以下の条件式（３’）を満足することがより好ましい。
０．５０＜｜ｆ２／ｆ｜＜０．６０      （３’）
【００３９】
また、接眼光学系２は、以下の条件式（４）、（５）を同時に満足することが好ましい。
１．３０＜｜φ２ｆ/φＡ｜      （４）
０．９５＜φ３ｒ/φＡ      （５）
ただし、
φ２ｆ：第２レンズの物体側の面のパワー
φ３ｒ：第３レンズのアイポイント側の面のパワー
φＡ：全系のパワー
【００４０】
条件式（４）は、第２レンズＬ２の物体側の面のパワーと全系のパワーの比の好適な範囲に関するものである。なお、第２レンズＬ２の物体側の面のパワーφ２ｆは、第２レンズＬ２の物体側の面の曲率半径をＲ２ｆとし、第２レンズＬ２のｄ線に対する屈折率をＮｄ２としたとき、φ２ｆ＝（Ｎｄ２−１）／Ｒ２ｆで表されるものである。全系のパワーは全系の焦点距離の逆数である。
【００４１】
条件式（５）は、第３レンズＬ３のアイポイント側の面のパワーと全系のパワーの比の好適な範囲に関するものである。なお、第３レンズＬ３のアイポイント側の面のパワーφ３ｒは、第３レンズＬ３のアイポイント側の面の曲率半径をＲ３ｒとし、第３レンズＬ３のｄ線に対する屈折率をＮｄ３としたとき、φ３ｒ＝（１−Ｎｄ３）／Ｒ３ｒで表されるものである。
【００４２】
上述したように現在使用可能な光学材料の中から条件式（１）を満足するように第１レンズＬ１、第２レンズＬ２、第３レンズＬ３の材料を選択すると、条件式（１）を満足しない場合に比べて各レンズのｄ線に対するアッベ数の分布範囲が狭いものとなるが、条件式（４）、（５）を同時に満足するように構成することで、条件式（１）で限定された範囲の材料を用いながら良好に色収差を補正することが容易となる。
【００４３】
上記の条件式（４）、（５）に関する効果をより高めるためには、条件式（４）、（５）を満足した状態で、以下の条件式（４’）、（５’）の少なくとも一方を満足することがより好ましく、以下の条件式（４’’）、（５’’）の少なくとも一方を満足することがさらにより好ましい。
１．３５＜｜φ２ｆ/φＡ｜      （４’）
１．０５＜φ３ｒ/φＡ      （５’）
１．３５＜｜φ２ｆ/φＡ｜＜１．５５      （４’’）
１．１０＜φ３ｒ/φＡ＜１．３０      （５’’）
【００４４】
条件式（４’’）の上限以上とならないように第２レンズＬ２のパワーを設定することで、高画素化に対応可能な高い光学性能の確保に有利となる。条件式（５’’）の上限以上とならないように第３レンズＬ３のパワーを設定することで、高画素化に対応可能な高い光学性能の確保に有利となる。
【００４５】
また、接眼光学系２は、以下の条件式（６）を満足することが好ましい。
３５．０°＜２ω      （６）
ただし、
２ω：全画角での最大視野角
【００４６】
条件式（６）は、全画角での視野角の好適な範囲に関するものである。条件式（６）の下限以下とならないように構成することで、広く快適な視野を得ることができる。
【００４７】
上記の条件式（６）に関する効果をより高めるためには以下の条件式（６’）を満足することがより好ましい。
３７．０°＜２ω      （６’）
【００４８】
また、小型化のためには、光軸に垂直な面内における第３レンズＬ３の外形を非円形状とし、以下の条件式（７）を満足するように構成してもよい。
ｒ１／ｒ２＜０．８０      （７）
ただし、
ｒ１：第３レンズの光軸から周縁までの径方向における最短距離
ｒ２：第３レンズの光軸から周縁までの径方向における最長距離
【００４９】
条件式（７）は、第３レンズＬ３の形状に関するものである。条件式（７）の上限以上とならないように構成することで、光学部品の小型化を図ることができ、ひいては装置サイズの小型化に貢献することができる。例えば、表示素子１の表示画面１ａが長方形状の表示領域を有しており、接眼光学系２がこの表示領域に表示された画像を観察するものである場合には、ｒ１、ｒ２の方向をそれぞれ表示領域の短辺、長辺に平行な方向とし、条件式（７）を満足するように構成すれば、近年の液晶表示素子に対応しながら、装置サイズの小型化を図ることができる。
【００５０】
図４に、外形が非円形状の第３レンズＬ３Ａの光軸に垂直な面内における外形の一例を示す。図４に示す第３レンズＬ３Ａは、円形から対向する２つの弓形の領域を排除した外形形状を有する。図４では、第３レンズＬ３Ａと光軸Ｚとの交点をＯで示し、第３レンズＬ３Ａに関するｒ１、ｒ２を示し、表示素子１の長方形状の表示領域の長辺、短辺に平行な方向をそれぞれ矢印Ｘ、Ｙで示している。図４に示す例ではｒ１、ｒ２の方向はそれぞれＹ、Ｘの方向に一致している。なお、非円形状の外形形状は図４に示す例に限定されず、例えば、円形から１つの弓形の領域を排除した形状でもよく、また、他の形状でもよい。
【００５１】
上記の条件式（７）に関する効果をより高めるためには以下の条件式（７’）を満足することがより好ましい。
ｒ１／ｒ２＜０．７０      （７’）
【００５２】
以上述べたように、本実施形態の接眼光学系２によれば、小型に構成しながら、十分に広い視野角と、高画素化に対応可能な高い光学性能を実現することができる。なお、上述した本実施形態の接眼光学系２が採りうる好ましい構成は、任意の組合せが可能であり、要求される仕様に応じて適宜選択的に採用されることが好ましい。
【００５３】
次に、本発明の接眼光学系の数値実施例について説明する。
【００５４】
［実施例１］
実施例１の接眼光学系のレンズ構成図は図１に示したものである。表１、表２に実施例１の接眼光学系の基本レンズデータ、非球面係数をそれぞれ示す。表１のＳｉの欄は最も物体側の構成要素の物体側の面を１番目としてアイポイント側に向かうに従い順次増加するように面番号を付したときのｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示し、Ｎｄｊの欄は物体側からｊ番目の光学要素のｄ線（波長５８７．５６ｎｍ）に対する屈折率を示し、νｄｊの欄は物体側からｊ番目の光学要素のｄ線に対するアッベ数を示している。
【００５５】
なお、基本レンズデータには表示素子１も含めて記載しており、第１面および第２面が表示素子１に対応する。曲率半径の符号は、面形状が物体側に凸の場合を正、アイポイント側に凸の場合を負としている。
【００５６】
表１の基本レンズデータの面番号に＊印が付いた面は非球面であり、曲率半径の欄には近軸の曲率半径の数値を示している。表２にこれら非球面の非球面係数を示す。表２の非球面係数の数値の「Ｅ−ｎ」（ｎ：整数）は「×１０−ｎ」を意味する。非球面係数は、下式（Ａ）で表される非球面式における各係数ＫＡ、Ａｍ（ｍ＝３、４、５、…２０）の値である。
【００５７】
【数１】
2015135471.tif 000003
ただし、
Ｚｄ：非球面深さ（高さｈの非球面上の点から、非球面頂点が接する光軸に垂直な平面に下ろした垂線の長さ）
ｈ：高さ（光軸からのレンズ面までの距離）
Ｃ：近軸曲率
ＫＡ、Ａｍ：非球面係数（ｍ＝３、４、５、…２０）
【００５８】
なお、本明細書の表には所定の桁でまるめた数値を記載している。ここでは各数値の長さの単位としては「ｍｍ」を用い、角度の単位としては「度」を用いているが、これは一例であり、光学系は比例拡大または比例縮小しても使用可能なため、他の適当な単位を用いることもできる。
【００５９】
【表１】
2015135471.tif 000004
【００６０】
【表２】
2015135471.tif 000005
【００６１】
図５に、実施例１の接眼光学系の球面収差、非点収差、歪曲収差（ディストーション）、倍率色収差の各収差図を紙面左から順に示す。球面収差、非点収差、歪曲収差の各収差図には、ｅ線（波長５４６．０７ｎｍ）を基準波長とした収差を示すが、球面収差図にはＣ線（波長６５６．２７ｎｍ）、ｇ線（波長４３５．８４ｎｍ）についての収差も示しており、倍率色収差図はＣ線とｇ線についての収差を示している。球面収差図、非点収差図の横軸の単位はdiopterであり、歪曲収差図の横軸の単位は％であり、倍率色収差図の横軸の単位は分である。球面収差図の縦軸は直径での瞳径であり、縦軸の上端は最大瞳径に相当する。非点収差図、歪曲収差図、倍率色収差図の縦軸は視野角であり、縦軸の上端は半画角での最大視野角に相当する。非点収差図ではサジタル方向、タンジェンシャル方向に関する収差をそれぞれ実線、破線で示している。
【００６２】
上記の実施例１のものに関する各種データの記号、意味、記載方法は、特に断りがない限り以下の実施例のものについても同様であるため、以下では重複説明を省略する。
【００６３】
［実施例２］
実施例２の接眼光学系のレンズ構成図は図２に示したものである。表３、表４にそれぞれ実施例２の接眼光学系の基本レンズデータ、非球面係数を示す。図６に実施例２の接眼光学系の球面収差、非点収差、歪曲収差（ディストーション）、倍率色収差の各収差図を紙面左から順に示す。
【００６４】
【表３】
2015135471.tif 000006
【００６５】
【表４】
2015135471.tif 000007
【００６６】
［実施例３］
実施例３の接眼光学系のレンズ構成図は図３に示したものである。表５、表６にそれぞれ実施例３の接眼光学系の基本レンズデータ、非球面係数を示す。図７に実施例３の接眼光学系の球面収差、非点収差、歪曲収差（ディストーション）、倍率色収差の各収差図を紙面左から順に示す。
【００６７】
【表５】
2015135471.tif 000008
【００６８】
【表６】
2015135471.tif 000009
【００６９】
表７に、上記実施例１〜３の上述した条件式（１）〜（６）の対応値と、条件式に関連する値を示す。表７のデータはｄ線に関するものである。
【００７０】
【表７】
2015135471.tif 000010
【００７１】
以上のデータからわかるように、実施例１〜３の接眼光学系は、３枚という少ないレンズ枚数で小型に構成され、全画角での最大視野角が約３８°と広く、諸収差が良好に補正されて高い光学性能を有する。
【００７２】
次に、本発明にかかる撮像装置の実施形態について説明する。図８Ａ、図８Ｂはそれぞれ本発明の一実施形態にかかる撮像装置であるカメラ３０の概略構成を示す正面側、背面側の斜視図である。カメラ３０は、カメラボディ３１を備え、カメラボディ３１の上部にはファインダー３８が設けられ、カメラボディ３１の上面にはシャッターボタン３２と電源ボタン３３とが設けられ、カメラボディ３１の背面には、操作部３４、３５と表示部３６とが設けられている。カメラボディ３１の前面中央部には、被写体像を撮像する撮像レンズ３９を装着可能なマウント３７が設けられている。撮像レンズ３９は交換可能なものであってもよい。ファインダー３８は、内部に液晶表示素子等の表示素子と本発明の実施形態にかかる接眼光学系を有し、観察者は表示素子の表示画面に表示された画像を接眼光学系により拡大して観察することができる。
【００７３】
図９は本発明の別の実施形態にかかる撮像装置であるカメラ４０の概略構成を示す斜視図である。カメラ４０は、ファインダーを内蔵するのではなく外付けファインダー４５として備える点がカメラ３０と大きく異なる。カメラ４０は、カメラボディ４１を備え、カメラボディ４１の上面にはシャッターボタン４２と電源ボタン４３とホットシュー４４が設けられ、カメラボディ４１の前面中央部には撮像レンズ４９が装着されている。外付けファインダー４５は、本発明の実施形態にかかる接眼光学系を有するものであり、ホットシュー４４に着脱自在に装着される。
【００７４】
以上、実施形態および実施例を挙げて本発明を説明したが、本発明は上記実施形態および実施例に限定されず、種々の変形が可能である。例えば、各レンズの曲率半径、面間隔、屈折率、アッベ数、非球面係数等の値は、上記各数値実施例で示した値に限定されず、他の値をとり得るものである。
【符号の説明】
【００７５】
１    表示素子
１ａ    表示画面
２    接眼光学系
３    光学部材
３０、４０    カメラ
３１、４１カメラボディ
３２、４２    シャッターボタン
３３、４３    電源ボタン
３４、３５    操作部
３６    表示部
３７    マウント
３８    ファインダー
３９、４９    撮像レンズ
４４    ホットシュー
４５    外付けファインダー
ＥＰ    アイポイント
Ｌ１    第１レンズ
Ｌ２    第２レンズ
Ｌ３    第３レンズ
Ｚ    光軸
【図１】
2015135471.tif 000011
【図２】
2015135471.tif 000012
【図３】
2015135471.tif 000013
【図４】
2015135471.tif 000014
【図５】
2015135471.tif 000015
【図６】
2015135471.tif 000016
【図７】
2015135471.tif 000017
【図８Ａ】
2015135471.tif 000018
【図８Ｂ】
2015135471.tif 000019
【図９】
2015135471.tif 000020